(57)【要約】【課題】違法行為を確実に排除できるスロットマシンを提供する。【解決手段】フォトカプラＰＣに供給されるＤＣ５Ｖと、払出モータＭＯに供給されるＤＣ２４Ｖと、フォトカプラＰＣをＯＮ動作させるメダル払出信号ＰＡＹとを、配線コネクタを経由して、他の制御部から受ける払出制御部５５を有し、払出モータＭＯを駆動して遊技者にメダルを払出す遊技機である。フォトカプラＰＣのＯＮ動作に先行して、ＤＣ電源の給電を開始させる第一手段（ＳＴ１６）と、フォトカプラＰＣのＯＮ動作を完了させた後に、ＤＣ電源の給電を停止させる第二手段（ＳＴ２６）と、を設けた。【選択図】図７
2010142543.tif 000002
【特許請求の範囲】
【請求項１】
インタフェイス素子に供給される第一電源と、払出モータに供給される第二電源と、前記インタフェイス素子をＯＮ動作させる払出信号とを、配線コネクタを経由して、他の制御部から受ける払出制御部を有し、
前記払出制御部が、前記インタフェイス素子のＯＮ動作に対応して、前記払出モータを駆動して遊技者に有価物を払出す遊技機であって、
前記インタフェイス素子をＯＮ動作させる前記払出信号のレベル変化に対応して、前記第一電源及び／又は前記第二電源の給電を開始させる第一手段と、
前記払出信号のレベル復帰に対応して、前記第一電源及び／又は前記第二電源の給電を停止させる第二手段と、を設けたことを特徴とする遊技機。
【請求項２】
前記払出信号は、有価物の払出数に対応するパルス幅を有する駆動信号を受けてスイッチング動作をする信号出力回路から出力され、
前記信号出力回路は、前記他の制御部に配置されている請求項１に記載の遊技機。
【請求項３】
前記第一手段及び第二手段を実現する電源制御回路が、前記他の制御部に配置されている請求項１又は２に記載の遊技機。
【請求項４】
前記電源制御回路は、前記第一電源の電源ラインに配置された第一スイッチ回路を有して構成されている請求項１〜３の何れかに記載の遊技機。
【請求項５】
前記電源制御回路は、前記第二電源の電源ラインに配置された第二スイッチ回路を有して構成されている請求項１〜４の何れかに記載の遊技機。
【請求項６】
前記第一スイッチ回路は、前記駆動信号と同一論理レベルで、前記駆動信号よりパルス幅が前後に広い制御信号を受けて動作している請求項４に記載の遊技機。
【請求項７】
前記第一スイッチ回路は、前記制御信号を受けて論理反転動作を実行するＮＯＴ回路と、前記ＮＯＴ回路の出力を制御入力端子に受けるユニポーラ型トランジスタとを有して構成されている請求項６に記載の遊技機。
【請求項８】
前記第二スイッチ回路は、前記駆動信号と同一論理レベルで、前記駆動信号よりパルス幅が前後に広い制御信号を受けて動作している請求項４に記載の遊技機。
【請求項９】
前記第二スイッチ回路は、前記制御信号を受けてＯＮ動作する第一トランジスタと、第一トランジスタのＯＮ動作に対応してＯＮ動作する第二トランジスタとを有して構成され、
前記第二トランジスタのＯＮ動作に対応して前記第二電源が前記払出制御部に給電される請求項８に記載の遊技機。
【請求項１０】
前記第二トランジスタは、ユニポーラ型トランジスタである請求項９に記載の遊技機。
【発明の詳細な説明】
【技術分野】
【０００１】
本発明は、コンピュータ装置を内蔵する電子遊技機に関し、特に、遊技媒体としてメダル又は遊技球を用いる回胴遊技機や弾球遊技機に好適に適用される。
【背景技術】
【０００２】
スロットマシンなどの回胴遊技機では、遊技者がメダル投入口にメダルを投入してスタートレバーを操作すると、これに応じて、回転リールの回転が開始される。そして、遊技者がストップボタンを押して回転リールを停止させたとき、停止ライン上の図柄が揃うと、その図柄に応じた配当メダルが払い出されるようになっている。但し、各ゲームの当否状態は、実際には、機器内部の抽選処理によって各ゲームの開始時に予め決まっており、この抽選処理によって当選した図柄を、遊技者が停止ライン上に揃えることで配当メダルが払出される。
【０００３】
この配当メダルは、各スロットマシン内部に配置されたメダルホッパーに予め貯留されている。そして、払出モータＭＯが回転してメダルを払出し、払出検出センサが必要個数の払出枚数を確認すると払出動作が終了するようになっている。
【０００４】
払出モータＭＯは、例えば、ＤＣ２４Ｖの電圧で回転する直流モータで構成されている。そして、メダル払出信号ＰＡＹを受けるフォトカプラを設け、メダル払出信号ＰＡＹがＬレベルになると、フォトカプラの出力側のトランジスタがＯＮ動作して、直流モータの電流駆動回路が形成されるよう構成されている。
【発明の開示】
【発明が解決しようとする課題】
【０００５】
ところが、メダル払出信号ＰＡＹがＬレベルになると、払出モータが回転を始めるので、この関係を悪用して、メダル払出信号をグランドに落とす違法行為が懸念されるところである。そこで、かかる違法行為を排除するべく各種の防犯回路が提案されているが（特許文献１）、如何に優れた防犯回路を搭載したところで、いわゆる「ぶら下げ基板」を用いた違法行為に対しては無力となる。
【特許文献１】特開２００５−１４３６５６号公報
【０００６】
ここで、「ぶら下げ基板」とは、正規の回路基板と正規の回路基板との間に、配置される違法回路基板を意味し、この違法回路基板において所望の違法信号が生成されて出力されると、せっかくの防犯機能が無力化されてしまう。
【０００７】
したがって、配線コネクタを一旦取り外して違法回路基板を取り付けが後に、更に、遊技機が電源リセットされたような場合も含め、確実に防犯機能を発揮する遊技機の構成が強く望まれるところである。
【０００８】
また、防犯機能を設けたことによって、例えば、払出動作に支障が生じたのでは意味がなく、常に適切に動作する遊技機の回路構成が必要となる。
【０００９】
本発明は、上記の問題点に鑑みてなされたものであって、違法行為を確実に排除できると共に、常に適切に動作する遊技機を提供することを目的とする。
【課題を解決するための手段】
【００１０】
上記の目的を達成するため、本発明は、インタフェイス素子に供給される第一電源と、払出モータに供給される第二電源と、前記インタフェイス素子をＯＮ動作させる払出信号とを、配線コネクタを経由して、他の制御部から受ける払出制御部を有し、前記払出制御部が、前記インタフェイス素子のＯＮ動作に対応して、前記払出モータを駆動して遊技者に有価物を払出す遊技機であって、前記インタフェイス素子をＯＮ動作させる前記払出信号のレベル変化に対応して、前記第一電源及び／又は前記第二電源の給電を開始させる第一手段と、前記払出信号のレベル復帰に対応して、前記第一電源及び／又は前記第二電源の給電を停止させる第二手段と、を設けたことを特徴とする。
【００１１】
本発明では、必要時以外には、第一電源及び第二電源が払出制御部に給電されないので、正規の回路基板の間に、例え違法回路基板を配置しても、払出モータを回転させることができない。この防犯機能は、遊技機が電源リセットされた場合でも同様に維持されるので、如何にしても、違法行為を成功させることはできない。なお、違法回路基板に電池を搭載しても、必要な電気エネルギーを生成することはできない。
【００１２】
本発明の第一手段は、簡易的には、払出信号のレベル変化に先行して電源の給電を開始するべきである。このような構成を採ると、払出モータの回転開始タイミングでは、第一電源及び第二電源が確実に安定化しており、過渡的な異常動作が生じる余地がない。なお、払出信号のレベル変化に同期して電源の給電を開始する場合であっても、ラッシュ電流などを抑制する電流制限回路を設けるか、或いは、適宜な動作遅延回路を設けることで、回転動作開始時の正常動作を確保することができる。
【００１３】
一方、本発明の第二手段は、簡易的には、払出信号のレベル復帰が完了した後に、電源の給電を停止すべきである。このような構成を採ると、払出モータが払出動作を終えた後にも、しばらくは給電状態が維持されるので、払出モータを適切に制動することができる。もっとも、払出信号のレベル復帰に同期して給電を停止した場合でも、適宜な蓄電機構（大容量コンデンサなど）を設けることで、慣性力による余分な有価物の払出しを防止することができる。
【００１４】
ところで、本発明が、第一電源と第二電源の何れか一方だけの給電を制御する実施態様を採る場合には、電源制御回路は、好ましくは、第二電源を制御すべきである。それは、通常、第二電源の方が第一電源より、その電源電圧と電流容量が高いので、違法回路を搭載しても、第一電源に基づいて、第二電源を違法に生成することが困難だからである。
【００１５】
何れにしても、前記払出信号は、有価物の払出数に対応するパルス幅を有する駆動信号を受けてスイッチング動作をする信号出力回路から出力され、前記信号出力回路は、前記他の制御部に配置されているのが好適である。また、好ましくは、前記第一手段及び第二手段を実現する電源制御回路は、前記他の制御部に配置されているべきである。
【００１６】
前記電源制御回路は、好ましくは、前記第一電源の電源ラインに配置された第一スイッチ回路を有して構成されている。ここで、前記第一スイッチ回路は、好ましくは、前記駆動信号と同一論理レベルで、前記駆動信号よりパルス幅が前後に広い制御信号を受けて動作している。この場合には、第一手段は、ＯＮ動作に先行して電源の給電を開始し、第二手段は、前記ＯＮ動作を完了させた後に電源の給電を停止する。
【００１７】
また、前記第一スイッチ回路は、前記制御信号を受けて論理反転動作を実行するＮＯＴ回路と、前記ＮＯＴ回路の出力を制御入力端子に受けるユニポーラ型トランジスタとを有して構成されているのが好ましい。
【００１８】
また、前記電源制御回路は、前記第二電源の電源ラインに配置された第二スイッチ回路を有して構成されているのが好ましい。ここで、前記第二スイッチ回路は、前記駆動信号と同一論理レベルで、前記駆動信号よりパルス幅が前後に広い制御信号を受けて動作しているのが好ましい。また、前記第二スイッチ回路は、前記制御信号を受けてＯＮ動作を実行する第一トランジスタと、第一トランジスタのＯＮ動作に対応してＯＮ動作をする第二トランジスタとを有して構成され、前記第二トランジスタのＯＮ動作に対応して前記第二電源が前記払出制御部に給電されるのが効果的である。前記第二トランジスタは、好ましくは、ユニポーラ型トランジスタである。
【発明の効果】
【００１９】
上記した本発明によれば、違法行為を確実に排除できると共に、常に適切に動作する遊技機を実現することができる。
【発明を実施するための最良の形態】
【００２０】
以下、実施例に基づいて本発明を更に詳細に説明する。図１〜図４は、実施例に係るスロットマシンＳＬを図示したものである。本スロットマシンＳＬは、矩形箱状の本体ケース１と、各種の遊技部材を装着した前面パネル２とが、ヒンジ３を介して連結され、前面パネル２が本体ケース１に対して開閉可能に構成されている（図２）。そして、図１は前面パネル２の正面図、図２はスロットマシンＳＬの右側面図（ａ）と平面図（ｂ）、図３は前面パネル２の背面図、図４は本体ケース１の内部正面図を示している。
【００２１】
図４に示す通り、本体ケース１の略中央には、３つの回転リール４ａ〜４ｃを備える図柄回転ユニット４が配置され、その下側に、メダル払出装置５が配置されている。各回転リール４ａ〜４ｃには、ＢＢ図柄、ＲＢ図柄、各種のフルーツ図柄、及びリプレイ図柄などが描かれている。メダル払出装置５には、メダルを貯留するメダルホッパー５ａと、払出モータＭＯと、メダル払出制御基板５５と、払出中継基板６３と、払出センサＳＥ（図５）などが設けられている。ここで、メダルは、払出モータＭＯの回転に基づいて、払出口５ｂから図面手前に向けて導出される。なお、限界量を越えて貯留されたメダルは、オーバーフロー部５ｃを通して、補助タンク６に落下するよう構成されている。
【００２２】
上記のメダル払出装置５に隣接して電源基板６２が配置され、また、図柄回転ユニット４の上部に主制御基板５０が配置され、主制御基板５０に隣接して回胴設定基板５４が配置されている。なお、図柄回転ユニット４の内部には、回胴ＬＥＤ中継基板５８と回胴中継基板５７とが設けられ、図柄回転ユニット４に隣接して外部集中端子板５６が配置されている。
【００２３】
図１に示すように、前面パネル２の上部には液晶表示ユニット７が配置され、その下部には、回転リール４ａ〜４ｃに対応する３つの表示窓８ａ〜８ｃが配置されている。表示窓８ａ〜８ｃを通して、各回転リール４ａ〜４ｃの回転方向に、各々３個程度の図柄が見えるようになっており、合計９個の図柄の水平方向の三本と、対角線方向の二本が仮想的な停止ラインとなる。このような表示窓８ａの左側には、遊技状態を示すＬＥＤ群９が設けられ、その下方には、遊技成果として払出されるメダル数を表示する払出表示部１０や、クレジット状態のメダル数を表示する貯留数表示部１１が設けられている。
【００２４】
前面パネル２の垂直方向中央には、メダルを投入するメダル投入口１２が設けられ、これに隣接して、メダル投入口１２に詰まったメダルを返却させるための返却ボタン１３が設けられている。また、クレジット状態のメダルを払出すクレジット精算ボタン１４と、メダル投入口１２へのメダル投入に代えてクレジット状態のメダルを擬似的に一枚投入する投入ボタン１５と、クレジット状態のメダルを擬似的に三枚投入するマックス投入ボタン１６とが設けられている。
【００２５】
これらの遊技部材の下方には、回転リール４ａ〜４ｃの回転を開始させるスタートレバー１７と、回転中の回転リール４ａ〜４ｃを停止させるためのストップボタン１８ａ〜１８ｃが設けられている。その他、前面パネル２の下方には、メダルを蓄える横長の受け皿１９と、払出装置５の払出口５ｂに連通するメダル導出口２０とが設けられている。なお、メダル導出口２０の左右にはスピーカＳＰが配置されている。
【００２６】
図３に示すように、前面パネル３の裏側には、メダル投入口１２に投入されたメダルの選別を行うメダル選別装置２１と、メダル選別装置２１により不適正と判別されたメダルをメダル導出口２０に案内する返却通路２２とが設けられている。また、前面パネル３の裏側上部には、演出制御基板５１、演出インタフェイス基板５２、及び液晶制御基板６１などを収容する基板ケース２３が配置されている。そして、メダル選別装置２１の上部には、図１に示す各種の遊技部材と主制御基板５０との間の信号を中継する遊技中継基板５３が設けられている。
【００２７】
図５は、実施例に係るスロットマシンＳＬの回路構成を示すブロック図である。図示の通り、このスロットマシンＳＬは、回転リール４ａ〜４ｃを含む各種の遊技部材の動作を制御する主制御基板５０と、主制御基板５０から受けた制御コマンドに基づいて演出動作を実現する演出制御基板５１と、交流電圧（２４Ｖ）を直流電圧（５Ｖ，１２Ｖ，２４Ｖ）に変換して装置各部に供給する電源基板６２とを中心に構成されている。
【００２８】
主制御基板５０は、演出制御基板５１に対して、スピーカＳＰによる音声演出、ＬＥＤランプや冷陰極線管放電管によるランプ演出、及び、液晶表示ユニット７による図柄演出を実現するための制御コマンドを出力している。そして、演出制御基板５１は、演出インタフェイス基板５２を通して、液晶制御基板６１に接続されており、液晶制御基板６１は、液晶表示（ＬＣＤ）ユニット７における図柄演出を実現している。
【００２９】
演出制御基板５１は、演出インタフェイス基板５２と共に、ＬＥＤ基板５９やインバータ基板６０や回胴ＬＥＤドライブ基板５８を経由して、各種のＬＥＤや冷陰極線管放電管におけるランプ演出を実現している。また、演出制御基板５１は、演出インタフェイス基板５２を通してスピーカＳＰを駆動して音声演出を実現している。
【００３０】
主制御基板５０は、遊技中継基板５３を通して、スロットマシンの各種遊技部材に接続されている。具体的には、スタートレバー１７の始動スイッチ、ストップボタン１８ａ〜１８ｃの停止スイッチ、投入ボタン１５，１６の投入スイッチ、清算ボタン１４の清算スイッチ、投入枚数判定部２１ｄを構成するフォトインタラプタＰＨ１，ＰＨ２、投入メダル返却部２１ｃを構成するブロッカーソレノイド３１、及び、各種ＬＥＤ素子９〜１１などに接続されている。
【００３１】
また、主制御基板５０は、回胴中継基板５７を経由して、回転リール４ａ〜４ｃを回転させる３つのステッピングモータ、及び、回転リール４ａ〜４ｃの基準位置を検出するためのインデックスセンサに接続されている。そして、ステッピングモータを駆動又は停止させることによって、回転リール４ａ〜４ｃの回転動作と、目的位置での停止動作を実現している。
【００３２】
主制御基板５０は、払出中継基板６３を通してメダル払出装置５にも接続されている。メダル払出装置５には、メダル払出制御基板５５と、メダル払出センサＳＥと、払出モータＭＯとが設けられており、メダル払出制御基板５５は、主制御基板５０からのメダル払出信号ＰＡＹに基づいて払出モータＭＯを回転させて、所定量のメダルを払出している。なお、払出モータＭＯは、ブラシモータなどのＤＣモータであり、ＤＣ２４Ｖを受けている限り回転を継続する。
【００３３】
その他、主制御基板５０は、外部集中端子板５６と、回胴設定基板５４にも接続されている。外部集中端子板５６は、例えばホールコンピュータＨＣに接続されており、主制御基板５０は、外部集中端子板５６を通して、メダルの投入枚数やメダルの払出枚数などを出力している。また、回胴設定基板５４は、係員が設定した確率的なメダル払出枚数のランク設定値を示す設定キー信号などを出力している。
【００３４】
図６（ａ）は、主制御基板５０と、払出中継基板６３と、メダル払出制御基板５５との接続関係を図示した概略図である。図示の通り、メダル払出制御基板５５は、払出中継基板６３を経由して、主制御基板５０から、メダル払出信号ＰＡＹと、ＤＣ５Ｖと、ＤＣ２４Ｖとを受けている。ここで、各回路基板５０，６３，５５は、配線コネクタＣＮ１〜ＣＮ４を経由して隣接する回路基板と接続されている。
【００３５】
図６（ａ）に示す通り、主制御基板５０の出力部は、メダル払出信号ＰＡＹを出力する信号出力部７０と、ＤＣ５ＶとＤＣ２４Ｖの給電を制御する電源制御部７１とを有して構成されている。そして、メダル払出信号ＰＡＹ、ＤＣ５Ｖ、及びＤＣ２４Ｖは、グランド信号を含んだ他の信号と共に、配線コネクタＣＮ１から出力されている。
【００３６】
信号出力部７０は、メダルの払出枚数に対応するパルス幅τを有する駆動パルスＳＧを受けてスイッチング動作をするバイポーラ型トランジスタＱａと、トランジスタＱａのベース抵抗Ｒａとで構成されている。図示の通り、トランジスタＱａのベース端子は、ベース抵抗Ｒａを通して駆動パルスＳＧを受けており、エミッタ端子は、グランドに接続されている。また、トランジスタＱａのコレクタ端子は、メダル払出信号ＰＡＹの出力端子として、配線コネクタＣＮ１に接続されている。
【００３７】
図６（ｃ）に示す通り、メダル払出信号ＰＡＹは、メダル払出制御基板５５のフォトカプラＰＣ（発光ダイオードＤ）の電流流出端子に供給され、フォトカプラＰＣの電流流入端子には、電流制限抵抗Ｒ１を通して、電源制御部７１の出力が供給されている。正常動作状態では、電源制御部７１の該当出力は、ほぼＤＣ５Ｖであるので、フォトカプラＰＣに流れるＯＮ電流Ｉｏｎは、Ｉｏｎ≒（５−Ｖｆ）／Ｒ１となる。なお、Ｖｆは、フォトカプラＰＣでの降下電圧である。
【００３８】
図６（ｂ）に示す通り、駆動パルスＳＧは、払出動作時にだけＨレベルとなり、それ以外の定常状態では、Ｌレベルを維持する。そのため、トランジスタＱａは、払出動作時にだけＯＮ動作し、それ以外の定常時にはＯＦＦ状態を維持する。その結果、電源制御部７１がＤＣ５Ｖを出力している状態では、メダル払出信号ＰＡＹは、駆動パルスＳＧがＨレベルとなる払出動作時にだけＬレベルとなり、それ以外の定常状態ではＨレベルを維持する。
【００３９】
図６（ｃ）は、電源制御部７１の回路構成の一例を図示したものである。この電源制御部７１は、ＤＣ５Ｖの電源ラインを開閉制御する第一スイッチ回路９１と、ＤＣ２４Ｖの電源ラインを開閉制御する第二スイッチ回路９２とを有して構成され、各スイッチ回路９１，９２は、単一の許可パルスＥＮＢＬによって制御されている。すなわち、許可パルスＥＮＢＬがＨレベルであるとＤＣ２４Ｖ及びＤＣ５Ｖが出力されるが、許可パルスＥＮＢＬがＬレベルであると各ＤＣ電圧の出力は禁止される。
【００４０】
第一スイッチ回路９１は、許可パルスＥＮＢＬを受けるＮＯＴゲートＧ１と、ＮＯＴゲートＧ１の出力をゲート端子に受けるユニポーラ型トランジスタＱｂとを有して構成されている。トランジスタＱｂは、具体的には、ＰチャンネルＭＯＳトランジスタであって、ソース端子にはＤＣ５Ｖが供給され、ドレイン端子は配線コネクタＣＮ１に接続されている。
【００４１】
第二スイッチ回路９２は、許可パルスＥＮＢＬをゲート端子に受けるＮチャンネルＭＯＳトランジスタＱｃと、トランジスタＱｃのドレイン端子とＤＣ２４Ｖの電源ラインとの間に接続されたバイアス抵抗Ｒ２２と、トランジスタＱｃのＯＮ動作に対応してＯＮ動作するＰチャンネルＭＯＳトランジスタＱｄとを有して構成されている。
【００４２】
トランジスタＱｃのソース端子は、グランドに接続され、ドレイン端子は、バイアス抵抗Ｒ２２及びトランジスタＱｄのゲート端子に接続されている。そして、トランジスタＱｄのソース端子には、ＤＣ２４Ｖが給電され、ドレイン端子は、配線コネクタＣＮ１に接続されている。
【００４３】
続いて、以上の構成を有する電源制御部７１の動作内容を説明する。先ず、払出モータＭＯを回転させない定常状態（非駆動時）を考える。
【００４４】
この非駆動時には、許可パルスＥＮＢＬがＬレベルであるので、トランジスタＱｂのゲート端子はＨレベルとなって、トランジスタＱｂがＯＦＦ状態となり、ＤＣ５Ｖが、配線コネクタＣＮ１に出力されることはない。同様に、トランジスタＱｃのゲート端子は、Ｌレベルとなるので、トランジスタＱｃ及びトランジスタＱｄともＯＦＦ状態となり、ＤＣ２４Ｖについても配線コネクタＣＮ１に出力されることはない。
【００４５】
一方、払出モータＭＯを駆動させるタイミングでは、駆動パルスＳＧがＨレベルに立上がるが、本実施例では、この立上がりタイミングに先行して許可パルスがＨレベルに立上がるよう制御されている。そして、許可パルスがＨレベルとなると、上記とは逆に、トランジスタＱｂ〜Ｑｄが全てＯＮ状態となり、配線コネクタＣＮにはＤＣ５Ｖ及びＤＣ２４Ｖが出力される。
【００４６】
そして、各ＤＣ電源の給電を受けたメダル払出制御基板５５の各回路が安定化した後に、駆動パルスＳＧがＨレベルとなってトランジスタＱａをＯＮ動作させる。すると、フォトカプラがＯＮ動作することで、メダルの払出動作が開始される。なお、この払出動作については更に後述する。
【００４７】
その後、一連の払出動作が完了すると、駆動パルスＳＧがＬレベルに立下がるが、その後、払出モータＭＯを完全に停止させた後で、許可パルスＥＮＢＬがＬレベルとなり上記した定常状態が開始される。したがって、慣性力などによってメダルが過払いされるおそれはない。
【００４８】
図７は、上記した許可パルスＥＮＢＬの制御を含んだメダル払出動作を説明するフローチャートである。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで擬似的な払出処理を実行する（ＳＴ１１〜ＳＴ１３）。
【００４９】
一方、このようにしてクレジット数が上限値に達するか、或いは、もともと上限値に達している場合には、最初に、動作フラグＦＬＧの値をチェックする（ＳＴ１５）。ここで、動作フラグＦＬＧは、許可パルスＥＮＢＬをＨレベルに立上げたか否かを示しており、払出動作に先行してステップＳＴ１６のタイミングでＦＬＧ＝１とされ、払出動作を確実に終えたステップＳＴ２７のタイミングでＦＬＧ＝０とされている。
【００５０】
そこで、今は、動作フラグＦＬＧ＝０であって、まだ払出動作が開始されていないと仮定すると、動作フラグＦＬＧを１にセットすると共に、許可パルスＥＮＢＬをＨレベルに立上げる（ＳＴ１６）。すると、メダル払出制御基板５５には、ＤＣ２４ＶとＤＣ５Ｖが給電されるので、給電を受けた各回路の動作が安定化するまで、所定時間だけ時間を消費する（ＳＴ１７）。
【００５１】
そして、メダル払出制御基板５５の動作が安定化した後に、メダル払出信号ＰＡＹをＯＮレベル（Ｌレベル）にする（ＳＴ１８）。具体的には、主制御部５０のトランジスタＱａをＯＮ動作させることで、メダル払出制御基板５５のフォトカプラＰＣをＯＮ動作させる。その結果、払出モータＭＯが回転を開始してメダルの払出が開始される。
【００５２】
メダル払出動作が開始されると、次に、払出センサＳＥ（図５）がメダル払出を検出したか否か判定され（ＳＴ１９）、所定の待機時間、メダルの払出が検出されるのを待つ（ＳＴ２１）。そして、メダルの払出が検出されれば、払出枚数を減算し（ＳＴ２０）、残余払出枚数が０になるまで同じ動作を繰返す。
【００５３】
一方、所定の待機時間を超えても、払出センサＳＥがメダルの払出を検出しない場合は、メダルホッパー５ａが空であると思われるので、その旨の異常報知処理を実行する（ＳＴ２２）。そして、ドアセンサの開閉が検出されたら（ＳＴ２３）、係員による補給処理が完了したと想定して、エラー報知処理を解除して（ＳＴ２４）ステップＳＴ１５の処理に戻る。
【００５４】
このような処理を繰返していると、やがて、残余払出枚数が０になるので（ＳＴ１３）、先ず、メダル払出信号ＰＡＹをＯＦＦレベル（Ｈレベル）に戻す（ＳＴ１４）。具体的には、主制御部５０のトランジスタＱａをＯＦＦ動作させることで、メダル払出制御基板５５のフォトカプラＰＣをＯＦＦ動作させる。この結果、払出モータＭＯの回転が停止される。
【００５５】
続いて、払出モータＭＯが確実に停止すると思われる所定時間だけ待機した後（ＳＴ２５）、許可パルスＥＮＢＬをＬレベルに戻し（ＳＴ２６）、動作フラグＦＬＧをゼロに戻して処理を終える（ＳＴ２７）。
【００５６】
以上の通り、本実施例では、時間消費処理（ＳＴ１７，ＳＴ２５）を設けることで、駆動パルスＳＧに適度に先行して許可パルスＥＮＢＬを立上げると共に、駆動パルスＳＧに適度に遅れて許可パルスＥＮＢＬを立下げている。その結果、機器トラブルが生じることなく適切なメダル払出動作が実現される。また、払出モータＭＯを駆動しないタイミングでは、ＤＣ電源がメダル払出制御基板５５に供給されないので違法行為のおそれもない。
【００５７】
図８は、メダル払出制御基板５５の回路構成と払出動作時の動作を図示したものである。なお、払出中継基板６３は、各種の信号を分配して伝送するだけであるので図示を省略している。
【００５８】
図６に関して説明した通り、メダル払出制御基板５５は、コネクタＣＮ４を通して払出中継基板６３に接続され、主制御基板５０から、ＤＣ２４Ｖ、ＤＣ５Ｖ、及びメダル払出信号ＰＡＹを受けている。そして、メダル払出制御基板５５のコネクタＣＮ５には、払出モータＭＯが接続されて、メダル払出信号ＰＡＹがアクティブレベル（Ｌレベル）であれば、払出モータＭＯがＤＣ２４Ｖを受けて連続して回転するようになっている。
【００５９】
メダル払出制御基板５５には、フォトカプラＰＣによる信号伝送回路８１と、バイポーラ型トランジスタＱ３，Ｑ４による電流制限回路８２と、ユニポーラ型トランジスタＱ５による駆動制御回路８３と、ユニポーラ型トランジスタＱ６による制動回路８４とが設けられている。
【００６０】
信号伝送回路８１は、電流制限抵抗Ｒ１と、フォトカプラＰＣの発光ダイオードＤとの直列回路で構成され、主制御基板５０の電源制御部７１が出力するＤＣ５Ｖと、トランジスタＱａが出力するメダル払出信号ＰＡＹとを受けて機能している。すなわち、ＤＣ５Ｖの給電状態で、フォトカプラＰＣが、Ｌレベルのメダル払出信号ＰＡＹを受けると、発光ダイオードＤが発光してフォトトランジスタＴｒがＯＮ動作する。そして、トランジスタＴｒのＯＮ動作に対応してＤＣ２４Ｖが給電可能となり、電流制限回路８２や駆動制御回路８３が動作可能となる。
【００６１】
電流制限回路８２は、ＰＮＰ型トランジスタＱ３と、コレクタ抵抗Ｒ４、バイアス抵抗Ｒ１０と、払出モータＭＯの電流検出抵抗Ｒ１３と、バイアス抵抗Ｒ５と、コンデンサＣ１と、ＮＰＮ型トランジスタＱ４と、電流制限抵抗Ｒ８と、逆方向電流阻止用のダイオードＤ２とで構成されている。
【００６２】
トランジスタＱ３のエミッタ端子は、フォトカプラのトランジスタＴｒのエミッタ端子と、電流制限抵抗Ｒ８とに接続されている。そして、トランジスタＱ３のエミッタ端子とベース端子の間には、電流制限抵抗Ｒ８とダイオードＤ２とが直列接続され、ダイオードＤ２のカソード端子が、トランジスタＱ３のベース端子に接続されている。また、ダイオードＤ２のカソード端子は、トランジスタＱ４のコレクタ端子に接続され、そのエミッタ端子はグランドに接続されている。トランジスタＱ４のベース端子は、並列接続されたコンデンサＣ１及び抵抗Ｒ５を通して、グランドに接続されている。
【００６３】
また、トランジスタＱ４のベース端子は、抵抗Ｒ１０を通して、ＮチャンネルＭＯＳトランジスタＱ５のソース端子に接続されている。ＮチャンネルＭＯＳトランジスタＱ５のソース端子とグランドとの間に、抵抗Ｒ１３が接続されて、払出モータＭＯの駆動電流を監視している。なお、電流検出抵抗Ｒ１３は、０．５１Ω程度である。
【００６４】
駆動制御回路８３は、ＮチャンネルＭＯＳトランジスタＱ５と、バイアス抵抗Ｒ９と、コンデンサＣ３とで構成されている。ここで、ＭＯＳトランジスタＱ５のドレイン端子は、払出モータＭＯの（−）端子に接続されている。そして、ベース端子とソース端子との間には、並列接続された抵抗Ｒ９及びコンデンサＣ３が接続されている。
【００６５】
制動回路８４は、ＰチャンネルＭＯＳトランジスタＱ６と、分圧用のバイアス抵抗Ｒ１１，Ｒ１２，Ｒ６，Ｒ７と、コンデンサＣ２と、逆方向電流阻止用のダイオードＤ１と、ポリスイッチＲＴとで構成されている。ＰチャンネルＭＯＳトランジスタＱ６のソース端子とドレイン端子は、各々、払出モータＭＯの（＋）端子と（−）端子に接続されている。したがって、ＰチャンネルＭＯＳトランジスタＱ６がＯＮ動作すると払出モータＭＯの駆動が禁止されることになる。
【００６６】
一方、ＭＯＳトランジスタＱ６のソース端子とゲート端子間には抵抗Ｒ１１が接続され、ゲート端子とグラントとの間には、バイアス抵抗Ｒ１２，Ｒ６，Ｒ７が直列接続されている。そして、抵抗Ｒ１２と抵抗Ｒ６の接続点には、ダイオードＤ１のカソード端子が接続されている。一方、ダイオードＤ１のアノード端子は、フォトカプラＰＣのトランジスタＴｒのエミッタ端子と、抵抗Ｒ８とに接続されている。
【００６７】
ポリスイッチＲＴは、ＰチャンネルＭＯＳトランジスタＱ２のドレイン端子と払出モータＭＯの（＋）端子との間に接続されている。ここでポリスイッチとは、ポリマー系のＰＴＣ（Positive Temperature Coefficient)サーミスタであり、素子温度が所定値より上昇すると、正常状態では１Ω以下の抵抗値が、急激に増加して１０４Ω〜１０６Ω程度になる特性を有している。したがって、例えば、払出モータＭＯの配線の短絡などによって過大電流が流れる場合には、ＤＣ２４Ｖの電源ラインを開放状態にする役目を果たす。なお、このポリスイッチＲＴは、電流制限回路８２が機能しないようなトラブル時に大きな意義がある。
【００６８】
続いて、主制御部５０が駆動パルスＳＧを立上げ、トランジスタＱａがＯＮ状態となった場合（図７のＳＴ１８）の動作を説明する。なお、このタイミングに先行して、ＤＣ５ＶとＤＣ２４Ｖとが既に給電されており（ＳＴ１６）、メダル払出制御基板５５の各回路は安定して動作可能である。
【００６９】
トランジスタＱａがＯＮ状態となり、メダル払出信号ＰＡＹがＯＮレベル（Ｌレベル）となると、電源制御部７１（ＤＣ５Ｖ）→抵抗Ｒ１→フォトカプラの発光ダイオードＤ→トランジスタＱａの経路でＯＮ電流が流れ、フォトカプラＰＣがＯＮ状態となる。そして、ＯＮ状態のフォトカプラＰＣのトランジスタＴｒを通過する直流電流は、ダイオードＤ１→抵抗Ｒ６→Ｒ７の経路に流れる。また、トランジスタＴｒを通過する直流電流は、抵抗Ｒ８→抵抗Ｒ９→抵抗Ｒ１３の経路と、抵抗Ｒ８→抵抗Ｒ９→抵抗Ｒ１０→Ｒ５の経路にも流れる。その結果、トランジスタＱ５はＯＮ状態となり、ポリスイッチＲＴ→払出モータＭＯ→トランジスタＱ５の経路でモータ駆動電流が流れ、払出モータＭＯが回転する。
【００７０】
この時、電流制限回路８２は、過大なモータ駆動電流が流れることを防止する負帰還回路として機能する。すなわち、モータ駆動電流は、電流検出抵抗Ｒ１３に流れるので、仮に、モータ駆動電流が大きく増加すると、トランジスタＱ４のベース電位が増加して、抵抗Ｒ８→ダイオードＤ２経路でコレクタ電流が流れる。
【００７１】
すると、トランジスタＱ４とトランジスタＱ３とは、サイリスタ構造を有して接続されているので、トランジスタＱ４のコレクタ電流の増加が、トランジスタＱ３のコレクタ電流の増加をもたらし、抵抗Ｒ５を経由してトランジスタＱ４のコレクタ電流を益々増加させることで、２つのトランジスタＱ３，Ｑ４は、ＯＮ動作に向けた正帰還ループを形成する。
【００７２】
一方、トランジスタＱ４のコレクタ電流が飽和電流に向けて増加すると、ダイオードＤ２のアノード端子の電位が降下するので、トランジスタＱ５をＯＦＦ動作させる向きの負帰還ループが形成される。したがって、トランジスタＱ５の動作に基づいて、過大なモータ駆動電流が流れることが防止され、モータ駆動電流が所定範囲に維持される。
【００７３】
ところで、払出モータＭＯが駆動されているタイミングでは、トランジスタＱ６は、ＯＦＦ状態である。それは、抵抗Ｒ１１→抵抗Ｒ１２→抵抗Ｒ６→抵抗Ｒ１８の経路で電流が流れると共に、ダイオードＤ１→抵抗Ｒ６→抵抗Ｒ１８の経路でも電流が流れるので、抵抗Ｒ１１と抵抗Ｒ１２の両端電圧が、トランジスタＴｒの飽和電圧ＶＣＥとダイオードの順方向電圧降下ＶＦからＶＣＥ＋ＶＦ≒１Ｖに抑制されるからである。
【００７４】
続いて、図９に基づいて、主制御部５０が駆動パルスＳＧを立下げ、トランジスタＱａがＯＦＦ状態となった場合（図７のＳＴ１４）の動作を説明する。なお、先に説明した通り、駆動パルスＳＧが立下がった後も、所定時間は、ＤＣ２４Ｖ及びＤＣ５Ｖの給電が継続される（ＳＴ２５）。
【００７５】
トランジスタＱａがＯＦＦ状態となると、これに対応して、フォトカプラＰＣはＯＦＦ状態となり、トランジスタＱ３，Ｑ４，Ｑ５はＯＮ状態とならない。但し、抵抗Ｒ１１→抵抗Ｒ１２→抵抗Ｒ６→抵抗Ｒ７→グランドの経路では電流が流れる。ここで、抵抗Ｒ１１の両端電圧は、２４＊Ｒ１１／（Ｒ１１＋Ｒ１２＋Ｒ６＋Ｒ７）≒３Ｖとなるよう設定されているので、このソース端子とゲート端子間の電圧によってトランジスタＱ６はＯＮ状態となる。
【００７６】
このトランジスタＱ６のＯＮ動作は、フォトカプラＰＣのＯＮからＯＦＦへの遷移時に実行されるので、発電機として機能する払出モータＭＯの出力電流がトランジスタＱ６の短絡電流として吸収され、払出モータＭＯの回転にブレーキがかかる。そのため、本実施例の構成によれば、慣性力によるメダルの過払いが防止される。このようにして、払出モータＭＯを急停止させた後は、ＤＣ２４Ｖ及びＤＣ５Ｖの給電が停止されるので（ＳＴ２６）、その後、違法回路基板を搭載しても違法にメダルを払出すことはできない。この点は、例え、遊技機を電源リセットしても同じであり、極めて強力な防犯機能を発揮する。
【００７７】
以上、本発明の実施例について具体的に説明したが、具体的な記載内容は特に本発明を限定する趣旨ではなく、適宜に変更可能である。例えば、先の実施例ではスロットマシンについて説明したが、遊技球の払出処理をＤＣモータで実現する弾球遊技機においては、本発明が好適に適用される。
【００７８】
また、上記の実施例では、ＤＣ５ＶとＤＣ２４の給電を、同期して開始及び終了させたが、何れか一方だけを給電制御したのでも良い。この場合、ＤＣ２４Ｖの給電制御を実施するのが好ましい。それは、違法回路においてＤＣ２４Ｖを降圧させてＤＣ５Ｖを生成するのは容易であるが、逆に、ＤＣ５ＶからＤＣ２４Ｖを生成するにはＤＣ−ＤＣコンバータなどが必要となり、しかも、そこまで手間をかけても、払出モータＭＯを駆動するほどのエネルギーを生成することが困難だからである。
【００７９】
また、上記の実施例では、駆動パルスＳＧの立上りに先行して、許可パルスＥＮＢＬを立上げ、駆動パルスＳＧを立下げた後に、許可パルスＥＮＢＬを立下げているが、特に限定されるものではない。図１０は、許可パルスＥＮＢＬを不要にした実施例であり、ＤＣ２４Ｖの電源ラインとグランドとの間に、比較的大容量のコンデンサＣ４を配置している。また、必要に応じて、ＤＣ５Ｖの電源ラインとグランドとの間にも、コンデンサＣ５を配置する。
【００８０】
この実施例では、トランジスタＱａのＯＮ動作に同期して、ＤＣ５Ｖ及びＤＣ２４Ｖの給電が開始されるが、ＤＣ２４Ｖの電源ラインにコンデンサＣ４が接続されているので、コンデンサＣ４が適宜なレベルまで充電されるまで、フォトカプラＰＣのＯＮ動作が猶予され、異常な過渡動作が回避される。また、ＤＣ５Ｖの電源ラインには抵抗Ｒ１が直列接続されているので、半導体素子Ｄ，Ｑａの破損も防止される。なお、コンデンサＣ５は必要に応じて配置される。
【００８１】
一方、この実施例では、トランジスタＱａのＯＦＦ動作に同期して、ＤＣ５Ｖ及びＤＣ２４Ｖの給電が停止されるが、コンデンサＣ４の充電電荷が放電するまでは、払出モータＭＯへの給電が維持されるので、前記した制動動作が確保される。
【図面の簡単な説明】
【００８２】
【図１】実施例に係るスロットマシンの正面図である。
【図２】図１のスロットマシンの右側面図（ａ）と平面図（ｂ）である。
【図３】スロットマシンの前面パネルを背面から図示した図面である。
【図４】スロットマシンの本体ケースの内部正面図である。
【図５】図１のスロットマシンの回路構成を示すブロック図である。
【図６】主制御基板の要部と、主制御基板とメダル払出制御基板との接続関係を示すブロック図である。
【図７】メダル払出制御基板の回路構成と払出動作を説明する図面である。
【図８】払出動作時におけるメダル払出制御基板の動作を説明する図面である。
【図９】払出禁止時におけるメダル払出制御基板の動作を説明する図面である。
【図１０】別の実施例を説明する図面である。
【符号の説明】
【００８３】
ＭＯ        払出モータ
５５        払出制御部
ＰＣ        インタフェイス素子
ＰＡＹ      払出信号
ＣＮ４      配線コネクタ
ＳＬ        遊技機（スロットマシン）
７１        電源制御回路
ＳＴ１６    第一手段
ＳＴ２６    第二手段
【図１】
2010142543.tif 000003
【図２】
2010142543.tif 000004
【図３】
2010142543.tif 000005
【図４】
2010142543.tif 000006
【図５】
2010142543.tif 000007
【図６】
2010142543.tif 000008
【図７】
2010142543.tif 000009
【図８】
2010142543.tif 000010
【図９】
2010142543.tif 000011
【図１０】
2010142543.tif 000012